【手続補正書】
【提出日】平成26年4月7日(2014.4.7)
【手続補正１】
【補正対象書類名】特許請求の範囲
【補正対象項目名】全文
【補正方法】変更
【補正の内容】
【特許請求の範囲】
【請求項１】
表示画面上でなされた操作指示に応じて、互いに異なる種類の複数の処理のうちのいずれかを受け付ける情報処理装置であって、
前記表示画面上に、複数の段階のうちいずれか１つの段階に属する表示サイズでオブジェクトを表示させる表示制御手段と、
前記表示画面上でなされた操作指示を受け付ける受付手段と、
前記表示画面上において前記操作指示が入力された位置に基づいて、前記表示画面上に表示されたオブジェクトのうち注目オブジェクトを抽出する抽出手段と、
前記抽出手段により抽出された前記注目オブジェクトが、前記操作指示が入力された時点で表示されている表示サイズに応じて、前記異なる複数の種類の処理のうち、実行可能な処理を決定する決定手段と、
を備えることを特徴とする情報処理装置。
【請求項２】
前記表示制御手段は、前記受付手段が受け付けた特定の操作指示に応じて、前記表示画面上に表示されたオブジェクトの表示サイズを変化させて表示することを特徴とする請求項１に記載の情報処理装置。
【請求項３】
前記決定手段は、前記表示サイズが閾値以下である場合には、前記操作指示に対応する処理を実行可能と決定せず、前記表示サイズが閾値より大きい場合には、前記操作指示に対応する処理を実行可能であると決定することを特徴とする請求項１に記載の情報処理装置。
【請求項４】
前記複数のオブジェクト種別には、少なくともテキストボックスが含まれ、
前記決定手段は、
前記抽出手段が抽出した注目オブジェクトの種別が前記テキストボックスだった場合、
前記テキストボックスの表示サイズが閾値より大きくなければ、前記表示画面全体をスクロールさせる処理を前記実行可能な処理として決定し、
前記テキストボックスの表示サイズが閾値より大きければ、前記注目オブジェクトに相当するテキストボックスを選択する処理を前記実行可能な処理として決定する
ことを特徴とする請求項１に記載の情報処理装置。
【請求項５】
前記決定手段が、前記表示画面全体をスクロールさせる処理を、前記実行可能な処理として決定した場合には、前記受付手段が、前記表示画面上でユーザの指が動かされる操作を受け付けたことに応じて、前記表示画面全体をスクロールし、
前記決定手段が、前記注目オブジェクトに相当するテキストボックスを選択する処理を、前記実行可能な処理として決定した場合には、前記受付手段が、前記表示画面に対するタップ操作を受け付けたことに応じて、前記注目オブジェクトに相当するテキストボックスを選択する
操作実行手段をさらに備えることを特徴とする請求項４に記載の情報処理装置。
【請求項６】
前記複数のオブジェクト種別には、少なくともテキストボックスが含まれ、
前記決定手段は、
前記抽出手段が抽出した注目オブジェクトの種別が前記テキストボックスだった場合、
前記テキストボックスの表示サイズが第1の閾値より大きくなければ、前記表示画面全体をスクロールさせる処理を前記実行可能な処理として決定し、
前記テキストボックスの表示サイズが前記第1の閾値より大きく、かつ第2の閾値より大きくなければ、前記注目オブジェクトに相当するテキストボックスを選択する処理を前記実行可能な処理として決定し、
前記テキストボックスの表示サイズが前記第2の閾値より大きければ、前記注目オブジェクトに相当するテキストボックスへの手書き文字入力処理を前記実行可能な処理として決定する
ことを特徴とする請求項１に記載の情報処理装置。
【請求項７】
前記決定手段が、前記表示画面全体をスクロールさせる処理を、前記実行可能な処理として決定した場合には、前記受付手段が、前記表示画面上でユーザの指が動かされる操作を受け付けたことに応じて、前記表示画面全体をスクロールし、
前記決定手段が、前記注目オブジェクトに相当するテキストボックスを選択する処理を、前記実行可能な処理として決定した場合には、前記受付手段が、前記表示画面に対するタップ操作を受け付けたことに応じて、前記注目オブジェクトに相当するテキストボックスを選択し、
前記決定手段が、前記注目オブジェクトに相当するテキストボックスへの手書き文字入力処理を、前記実行可能な処理として決定した場合には、前記受付手段が、前記表示画面上でユーザの指が動かされる操作を受け付けたことに応じて、前記注目オブジェクトに相当するテキストボックスに対して入力された手書き文字を認識する
操作実行手段をさらに備えることを特徴とする請求項６に記載の情報処理装置。
【請求項８】
前記複数のオブジェクト種別には、少なくとも画像が含まれ、
前記決定手段は、
前記抽出手段が抽出した注目オブジェクトの種別が前記画像だった場合、
テキストボックスの表示サイズが閾値より大きくなければ、前記表示画面全体をスクロールさせる処理を前記実行可能な処理として決定し、
前記テキストボックスの表示サイズが閾値より大きければ、前記注目オブジェクトに相当する画像を選択する処理、及び前記注目オブジェクトに相当する画像を移動する処理の少なくともいずれかを、前記実行可能な処理として決定することを特徴とする請求項１に記載の情報処理装置。
【請求項９】
前記決定手段が、前記表示画面全体をスクロールさせる処理が前記実行可能な処理として決定した場合には、前記受付手段が、前記表示画面上でユーザの指が動かされる操作を受け付けたことに応じて、前記表示画面全体をスクロールし、
前記決定手段が、前記注目オブジェクトに相当する画像を選択する処理、及び前記注目オブジェクトに相当する画像を移動する処理の少なくともいずれかを、前記実行可能な処理として決定した場合には、前記受付手段が、前記表示画面に対するタップ操作を受け付けたことに応じて、前記注目オブジェクトに相当する画像を選択し、前記受付手段が、前記表示画面上でユーザの指が動かされる操作を受け付けたことに応じて、前記注目オブジェクトに相当する画像を移動させる
操作実行手段をさらに備えることを特徴とする請求項８に記載の情報処理装置。
【請求項１０】
前記決定手段は、前記表示サイズが閾値以下である場合、前記受付手段により受け付けられた操作が入力し続けられているかどうかを決定し、
前記決定手段が前記受付手段により受け付けられた操作が入力し続けられていると決定した場合、前記決定手段は、前記受付手段により受け付けられた操作指示に対応する処理を実行可能であると決定する
ことを特徴とする請求項３に記載の情報処理装置。
【請求項１１】
前記決定手段は、前記操作指示が入力された位置に複数のオブジェクトが重なって存在し、前記抽出手段により複数の注目オブジェクトが抽出された場合に、前記注目オブジェクトの種別と前記表示サイズの判定条件の組合せに設定された優先順位に基づいて実行可能な処理を決定する
ことを特徴とする請求項１に記載の情報処理装置。
【請求項１２】
前記決定手段は、前記注目オブジェクトの表示上の大きさが大きくなるに従って画数の多いジェスチャ操作や形状が複雑なジェスチャ操作を実行可能と決定する
ことを特徴とする請求項１に記載の情報処理装置。
【請求項１３】
前記決定手段にて前記操作指示が実行可能でないと決定した場合に、その旨をユーザに通知する通知手段
をさらに備えることを特徴とする請求項１に記載の情報処理装置。
【請求項１４】
前記決定手段にて同じ操作指示に対して実行可能でないと決定した回数が所定の回数以上となった場合に、前記表示サイズの判定条件を変更する条件変更手段
をさらに備えることを特徴とする請求項１に記載の情報処理装置。
【請求項１５】
前記条件変更手段は、同じ操作指示に対して所定回数以上の取消操作が入力された場合に前記判定条件を変更する
ことを特徴とする請求項１４に記載の情報処理装置。
【請求項１６】
画面の揺れを検出する揺れ検出手段をさらに備え、
前記条件変更手段は、前記揺れの大きさに基づいて前記判定条件を変更する
ことを特徴とする請求項１４に記載の情報処理装置。
【請求項１７】
受付手段と、抽出手段と、決定手段とを備え、表示画面上でなされた操作指示に応じて、互いに異なる種類の複数の処理のうちのいずれかを受け付ける情報処理装置における情報処理方法であって、
前記受付手段が、前記表示画面上でなされた操作指示を受け付ける受付工程と、
前記抽出手段が、前記表示画面上において前記操作指示が入力された位置に基づいて、前記表示画面上に表示されたオブジェクトのうち注目オブジェクトを抽出する抽出工程と、
前記決定手段が、前記抽出工程により抽出された前記注目オブジェクトの、前記操作指示が入力された時点での表示サイズに応じて、前記異なる複数の種類の処理のうち、実行可能な処理を決定する決定工程と、
を備えることを特徴とする情報処理方法。
【請求項１８】
請求項１７に記載の情報処理方法の各工程をコンピュータに実行させるためのプログラム。
【手続補正２】
【補正対象書類名】明細書
【補正対象項目名】０００７
【補正方法】変更
【補正の内容】
【０００７】
上記の目的を達成する、本発明に係る情報処理装置は、
表示画面上でなされた操作指示に応じて、互いに異なる種類の複数の処理のうちのいずれかを受け付ける情報処理装置であって、
前記表示画面上に、複数の段階のうちいずれか１つの段階に属する表示サイズでオブジェクトを表示させる表示制御手段と、
前記表示画面上でなされた操作指示を受け付ける受付手段と、
前記表示画面上において前記操作指示が入力された位置に基づいて、前記表示画面上に表示されたオブジェクトのうち注目オブジェクトを抽出する抽出手段と、
前記抽出手段により抽出された前記注目オブジェクトが、前記操作指示が入力された時点で表示されている表示サイズに応じて、前記異なる複数の種類の処理のうち、実行可能な処理を決定する決定手段と、
を備えることを特徴とする。